(57)【特許請求の範囲】
【請求項１】
通信ネットワークで接続された店舗側端末及び管理側端末を備え、店舗側端末には、項目の印字されたシートの画像を入力する画像入力デバイスと、同画像入力デバイスによる入力画像を表示するディスプレイと、入力画像の項目を文字認識するＯＣＲ（Optical Character Recognition  光学的文字認識）手段と、を備え、前記項目より店舗ＩＤを特定すると共に特定数値を認識して前記管理側端末へ通知する店舗からの特定数値通知方法であって、
前記シートに印字された項目は店舗の管理のための管理項目を有し、この管理項目は少なくとも対象使用者である店舗を特定する認証項目及び金銭の合計数値の特定数値項目を備え、
ディスプレイ上で指示した位置に存在する項目を前記ＯＣＲ手段により認識させるための項目選択ポインターを有し、
前記ＯＣＲ手段により認識された項目の位置を識別するための標点の座標を記憶する標点記憶領域を備え、
前記ＯＣＲ手段により認識された項目の文字と当該文字に該当する部分画像とを関連付けて記憶する項目記憶領域を備え、
事前の位置記憶段階では、
設定用のシートの画像が前記画像入力デバイスで画像入力され、前記シートの認証項目を少なくとも１つ含む管理項目の２つ以上及び特定数値項目について前記項目選択ポインターで指示することにより、前記標点の座標、文字及び部分画像を記憶し、二か所の管理項目の標点との座標位置関係により特定数値項目の標点を関連付けて記憶し、
その後繰り返される特定数値の通知第一段階では、
通知を行おうとする前記シートが前記画像入力デバイスで画像入力されるとともに画像の項目が前記ＯＣＲ手段で認識され、前記ＯＣＲ手段で読み取った項目より前記管理項目の２つ以上を文字により検索し、「検索された２つ以上の管理項目の標点との座標位置関係」により特定数値項目の標点を特定し、特定された標点に存在する特定数値項目の前記ＯＣＲにより認識された文字及び部分画像を記憶し、
前記通知第一段階に続く特定数値の通知第二段階では、
前記管理項目及び特定数値の文字及び部分画像をディスプレイに表示すると共に利用者の確認ボタンの操作により、前記管理項目及び特定数値の文字、部分画像および標点を管理端末へ送信する店舗からの特定数値通知方法。
【請求項２】
前記特定数値項目の現れる行が前記シートの項目数の変動により変更されうる場合において、前記「二か所の管理項目の標点との座標位置関係により特定数値項目の標点を関連付けて記憶」する処理を、前記特定数値項目よりも下側の位置に前記「二か所の管理項目の標点」を設定することにより行う請求項１記載の店舗からの特定数値通知方法。
【請求項３】
前記認証項目を前記「二か所の管理項目」とは別に前記特定数値項目の上側に設定する請求項２記載の店舗からの特定数値通知方法。
【請求項４】
管理項目の２つ以上及び特定数値項目についてＯＣＲ手段で認識された文字の修正入力部を有し、前記通知第二段階における文字の修正後に利用者の確認操作ボタンの操作により、修正されたものは修正フラグを管理サーバー送信時に添付する請求項１〜３のいずれかに記載の店舗からの特定数値通知方法。
【請求項５】
管理項目は位置記憶段階において３以上選択が可能であり、通知第一段階では、３以上のうち読み取り可能な２を順次選択する請求項１〜４のいずれかに記載の店舗からの特定数値通知方法。
【請求項６】
前記ポインターで指定された２つ以上の管理項目の標点間の基準第一距離及び前記検索された２つ以上の管理項目の標点間の検索第一距離を対応させて、前記検索された２つ以上の管理項目の標点との座標位置関係を正規化し、特定数値項目の標点を特定する請求項１〜５のいずれかに記載の店舗からの特定数値通知方法。
【請求項７】
前記ポインターで指定された２つ以上の管理項目の標点それぞれ及び前記ポインターで指定された特定数値項目の標点間の距離である複数の基準第二距離をあらかじめ求め、
前記通知第一段階では、前記正規化の後、前記「検索された２つ以上の管理項目の標点との座標位置関係により」特定された特定数値項目の標点は、前記検索された２つ以上の管理項目の標点それぞれから対応し正規化された前記各基準第二距離の位置に共通に存在する点として特定される請求項６記載の店舗からの特定数値通知方法。
【請求項８】
前記ポインターで指定された２つ以上の管理項目の標点いずれか及び前記ポインターで指定された特定数値項目の標点の相対座標をあらかじめ求め、前記通知第一段階では、前記正規化の後、前記「検索された２つ以上の管理項目の標点との座標位置関係により特定数値項目の標点」は、前記ポインターで指定された２つ以上の管理項目の標点間の基準第一線分の角度及び前記検索された２つ以上の管理項目の標点間の検索第一線分の角度が一致するように事前位置記憶段階及び／又は通知第一段階の座標系を相対回転させ、前記相対座標により特定される請求項６記載の店舗からの特定数値通知方法。
【請求項９】
前記ポインターで指定された２つ以上の管理項目の標点いずれか及び前記ポインターで指定された特定数値項目の標点の相対座標をあらかじめ求め、前記ポインターで指定された２つ以上の管理項目の標点間の基準第一線分の角度及び長さ並びに前記検索された２つ以上の管理項目の標点間の検索第一線分の角度及び長さを求め、
前記通知第一段階では、前記ディスプレイに他のポインターとして前記基準第一線分及び前記検索第一線分を各線分の一端が一致するように表示させるとともに、各線分のいずれか一方の他端を他方の多端に一致させるように回転及び長さ調整が可能であり、前記「検索された２つ以上の管理項目の標点との座標位置関係により特定数値項目の標点」は、前記ポインターの操作に伴い、前記事前位置記憶段階及び／又は通知第一段階の座標系を相対回転させるとともに前記両線分の長さ調整の比率に従って座標系の比率を調整し、前記相対座標により特定される請求項１〜５のいずれかに記載の店舗からの特定数値通知方法。
【請求項１０】
前記画像入力デバイスがイメージスキャナー又はカメラである請求項１〜９のいずれかに記載の店舗からの特定数値通知方法。
【請求項１１】
前記シートが集計または精算レシートであり、前記特定数値項目が対象期間の合計売上金額である請求項１〜１０のいずれかに記載の店舗からの特定数値通知方法。
【請求項１２】
請求項１〜１１のいずれかに記載の店舗からの特定数値通知方法に用いられる店舗からの特定数値通知システムであって、
通信ネットワークで接続された店舗側端末及び管理側端末を備え、店舗側端末には、項目の印字されたシートの画像を入力する画像入力デバイスと、同画像入力デバイスによる入力画像を表示するディスプレイと、入力画像の項目を文字認識するＯＣＲ（Optical Character Recognition  光学的文字認識）手段と、を備え、前記項目より店舗ＩＤを特定すると共に特定数値を認識して前記管理側端末へ通知する機能を有し、前記シートに印字された項目は店舗の管理のための管理項目を有し、この管理項目は少なくとも対象使用者である店舗を特定する認証項目及び金銭の合計数値の特定数値項目を備え、ディスプレイ上で指示した位置に存在する項目を前記ＯＣＲ手段により認識させるための項目選択ポインターを有し、前記ＯＣＲ手段により認識された項目の位置を識別するための標点の座標を記憶する標点記憶領域を備え、前記ＯＣＲ手段により認識された項目の文字と当該文字に該当する部分画像とを関連付けて記憶する項目記憶領域を備え、
事前の位置記憶段階では、設定用のシートの画像が前記画像入力デバイスで画像入力され、前記シートの認証項目を少なくとも１つ含む管理項目の２つ以上及び特定数値項目について前記項目選択ポインターで指示することにより、前記標点の座標、文字及び部分画像を記憶し、二か所の管理項目の標点との座標位置関係により特定数値項目の標点を関連付けて記憶し、
その後繰り返される特定数値の通知第一段階では、通知を行おうとする前記シートが前記画像入力デバイスで画像入力されるとともに画像の項目が前記ＯＣＲ手段で認識され、前記ＯＣＲ手段で読み取った項目より前記管理項目の２つ以上を文字により検索し、検索された２つ以上の管理項目の標点との座標位置関係により特定数値項目の標点を特定し、特定された標点に存在する特定数値項目の前記ＯＣＲにより認識された文字及び部分画像を記憶し、
前記通知第一段階に続く特定数値の通知第二段階では、
前記管理項目及び特定数値の文字及び部分画像をディスプレイに表示すると共に利用者の確認ボタンの操作により、前記管理項目及び特定数値の文字、部分画像および標点が管理端末へ送信される店舗からの特定数値通知システム。
【発明の詳細な説明】
【技術分野】
【０００１】
本発明は、ショッピングセンター等の店舗からショッピングセンター管理部門等への売上等特定数値通知方法及び通知システムに関する。さらに詳しくは、通信ネットワークで接続された店舗側端末及び管理側端末を備え、店舗側端末には、項目の印字された精算レシートのようなシートの画像を入力する画像入力デバイスと、同画像入力デバイスによる入力画像を表示するディスプレイと、入力画像の項目を文字認識するＯＣＲ（Optical Character Recognition  光学的文字認識）手段と、を備え、前記項目より店舗ＩＤを特定すると共に特定数値を認識して前記管理側端末へ通知する店舗からの特定数値通知方法及び通知システムに関する。
【背景技術】
【０００２】
上記通知方法や通知システムにおいては、センター管理部門で各店舗の売り上げを把握し、帳票を作成する必要がある。そのため、帳票に必要なデータの自動収集について、例えば次の特許文献１にみられるように、様々な自動認識の工夫がなされている。
【０００３】
ところで、日々の精算レシートは店舗によって導入するシステムが異なり、レシートのフォーマットも統一されておらず、長さもそれぞれ異なり、売上の合計金額は下の方に印字されているのが現状である。そして、この精算レシートを例えばイメージスキャナーで読み込む場合、レシートが傾いたり、解像度が違ったりすると、レシートを読み込んだ座標上の各項目の位置が統一的に特定しづらいという問題があった。同様の問題は、カメラ付きのタブレットやスマートフォンを店舗側端末として用いる場合に、カメラで精算レシートの画像を撮影すると、イメージスキャナーによる問題と同様の問題が発生した。
しかも、これらの問題やレシートの汚れ等により各項目の値の誤認識が生じることの対策として手入力の修正を無制限に認めると、売上金額の改ざんや店舗のすり替えなどの不正行為が発生するおそれがあった。
【先行技術文献】
【特許文献】
【０００４】
【特許文献１】特開２０１２−３２９７９号公報
【発明の概要】
【発明が解決しようとする課題】
【０００５】
かかる従来の実情に鑑みて、本発明は、店舗を特定するに必要な項目及び売上金額等の特定数値項目の座標を特定してこれらを自動認識させると共に、これらの認識内容を修正した場合の改ざんを容易に発見することが可能な店舗からの特定数値通知方法及び通知システムを提供することを目的とする。
【課題を解決するための手段】
【０００６】
上記目的を達成するため、本発明に係る店舗からの特定数値通知方法の特徴は、通信ネットワークで接続された店舗側端末及び管理側端末を備え、店舗側端末には、項目の印字されたシートの画像を入力する画像入力デバイスと、同画像入力デバイスによる入力画像を表示するディスプレイと、入力画像の項目を文字認識するＯＣＲ（Optical Character Recognition  光学的文字認識）手段と、を備え、前記項目より店舗ＩＤを特定すると共に特定数値を認識して前記管理側端末へ通知する方法において、前記シートに印字された項目は店舗の管理のための管理項目を有し、この管理項目は少なくとも対象使用者である店舗を特定する認証項目及び金銭の合計数値の特定数値項目を備え、ディスプレイ上で指示した位置に存在する項目を前記ＯＣＲ手段により認識させるための項目選択ポインターを有し、前記ＯＣＲ手段により認識された項目の位置を識別するための標点の座標を記憶する標点記憶領域を備え、前記ＯＣＲ手段により認識された項目の文字と当該文字に該当する部分画像とを関連付けて記憶する項目記憶領域を備え、事前の位置記憶段階では、設定用のシートの画像が前記画像入力デバイスで画像入力され、前記シートの認証項目を少なくとも１つ含む管理項目の２つ以上及び特定数値項目について前記項目選択ポインターで指示することにより、前記標点の座標、文字及び部分画像を記憶し、二か所の管理項目の標点との座標位置関係により特定数値項目の標点を関連付けて記憶し、その後繰り返される特定数値の通知第一段階では、通知を行おうとする前記シートが前記画像入力デバイスで画像入力されるとともに画像の項目が前記ＯＣＲ手段で認識され、前記ＯＣＲ手段で読み取った項目より前記管理項目の２つ以上を文字により検索し、「検索された２つ以上の管理項目の標点との座標位置関係」により特定数値項目の標点を特定し、特定された標点に存在する特定数値項目の前記ＯＣＲにより認識された文字及び部分画像を記憶し、前記通知第一段階に続く特定数値の通知第二段階では、前記管理項目及び特定数値の文字及び部分画像をディスプレイに表示すると共に利用者の確認ボタンの操作により、前記管理項目及び特定数値の文字、部分画像および標点を管理端末へ送信することにある。
【０００７】
同方法によれば、
１事前の位置記憶段階では、二か所の管理項目の標点との座標位置関係により特定数値項目の標点を関連付けて記憶し、
２その後繰り返される特定数値の通知第一段階では、「検索された２つ以上の管理項目の標点との座標位置関係」により特定数値項目の標点を特定する。
すなわち、管理項目の標点２か所から特定数値項目の標点の位置関係を求めるので、上述の傾きや縮尺の違いが生じても、これらの影響を払拭して正しい特定数値項目の標点を求めることができる。
管理項目は少なくとも認識項目を１つ含むので、店舗の特定ができ、店舗のすり替え等が生じない。また、ＯＣＲにより認識された文字及び部分画像を情報として管理側端末に送信するので、改ざんと誤認識の修正を直ちに区別することができる。
【０００８】
上記特徴において、前記特定数値項目の現れる行が前記シートの項目数の変動により変更されうる場合には、前記「二か所の管理項目の標点との座標位置関係により特定数値項目の標点を関連付けて記憶」する処理を、前記特定数値項目よりも下側の位置に前記「二か所の管理項目の標点」を設定することにより行ってもよい。例えば、特定数値項目が純売上の総計であり、その上に任意数の個別売上が項目として現れる場合は、個別売上の項目数の変動で、総売上項目の位置が確定しないこととなる。したがって、特定数値項目を下側の「二か所の管理項目の標点」から上側に向かって位置特定すれば、上記変動の問題は解消する。
【０００９】
上記の場合において、前記認証項目を前記「二か所の管理項目」とは別に前記特定数値項目の上側に設定するとよい。すなわち、特定数値項目の位置特定のための二か所の管理項目は特定数値項目の下側から上に向かって位置評定を行い、認証は特定数値項目との座標関係は問題とならないので、特定数値項目の上側に設定しても良く、もちろん下側でも差し支えない。
【００１０】
上記特徴において、管理項目の２つ以上及び特定数値項目についてＯＣＲ手段で認識された文字の修正入力部を有し、前記通知第二段階における文字の修正後に利用者の確認操作ボタンの操作により、修正されたものは修正フラグを管理サーバー送信時に添付してもよい。同構成によれば、誤認識を適切に手入力で修正することができ、修正フラグにより管理側端末で注意が喚起され、上述の部分画像と相まって適切な修正を促進し改ざんを防止することができる。
【００１１】
さらに、管理項目は位置記憶段階において３以上選択が可能であり、通知第一段階では、３以上のうち読み取り可能な２を順次選択するようにしてもよい。同構成によれば、レシート等の項目が一部汚れ又は欠損して読み取りが不能でも、その項目を排除して他の項目を採用することで、二か所の管理項目の標点との座標位置関係を維持して、特定数値項目の認識不能という事態をバックアップで回避する。
【００１２】
上述の「検索された２つ以上の管理項目の標点との座標位置関係」により特定数値項目の標点を特定する方法の一つとして、前記ポインターで指定された２つ以上の管理項目の標点間の基準第一距離  及び前記検索された２つ以上の管理項目の標点間の検索第一距離を対応させて、前記検索された２つ以上の管理項目の標点との座標位置関係を正規化し、特定数値項目の標点を特定してもよい。同方法によれば、正規化でレシート読み取りの縮尺の違いを払拭することができる。
【００１３】
この方法において、さらに、前記ポインターで指定された２つ以上の管理項目の標点それぞれ及び前記ポインターで指定された特定数値項目の標点間の距離である複数の基準第二距離をあらかじめ求め、前記通知第一段階では、前記正規化の後、前記「検索された２つ以上の管理項目の標点との座標位置関係により」特定された特定数値項目の標点は、前記検索された２つ以上の管理項目の標点それぞれから対応し正規化された前記各基準第二距離の位置に共通に存在する点として特定してもよい。２つの基準第二距離の利用により、これら２つの距離の交わりの点として特定数値項目の標点が定まるため、上記傾きの問題を払拭することができる。
【００１４】
傾きを払拭する他の方法として、前記ポインターで指定された２つ以上の管理項目の標点いずれか及び前記ポインターで指定された特定数値項目の標点の相対座標をあらかじめ求め、前記通知第一段階では、前記正規化の後、前記「検索された２つ以上の管理項目の標点との座標位置関係により特定数値項目の標点」は、前記ポインターで指定された２つ以上の管理項目の標点間の基準第一線分の角度及び前記検索された２つ以上の管理項目の標点間の検索第一線分の角度が一致するように事前位置記憶段階及び／又は通知第一段階の座標系を相対回転させ、前記相対座標により特定してもよい。同構成によれば、正規化と検索第一線分の角度を利用した座標の相対回転で、上記縮尺及び傾きの問題を一挙に解決することができる。
【００１５】
上記方法は自動化であるが、手動によりこれを実現してもよく、その方法としては、前記ポインターで指定された２つ以上の管理項目の標点いずれか及び前記ポインターで指定された特定数値項目の標点の相対座標をあらかじめ求め、前記ポインターで指定された２つ以上の管理項目の標点間の基準第一線分の角度及び長さ並びに前記検索された２つ以上の管理項目の標点間の検索第一線分の角度及び長さを求め、前記通知第一段階では、前記ディスプレイに他のポインターとして前記基準第一線分及び前記検索第一線分を各線分の一端が一致するように表示させるとともに、各線分のいずれか一方の他端を他方の多端に一致させるように回転及び長さ調整が可能であり、前記「検索された２つ以上の管理項目の標点との座標位置関係により特定数値項目の標点」は、前記ポインターの操作に伴い、前記事前位置記憶段階及び／又は通知第一段階の座標系を相対回転させるとともに前記両線分の長さ調整の比率に従って座標系の比率を調整し、前記相対座標により特定してもよい。
【００１６】
上記において、前記画像入力デバイスがイメージスキャナー又はカメラである。また、前記シートが集計または精算レシートであり、前記特定数値項目が対象期間の合計売上金額としてもよい。
【００１７】
一方、上述に記載の店舗からの特定数値通知方法に用いられる店舗からの特定数値通知システムの特徴は、通信ネットワークで接続された店舗側端末及び管理側端末を備え、店舗側端末には、項目の印字されたシートの画像を入力する画像入力デバイスと、同画像入力デバイスによる入力画像を表示するディスプレイと、入力画像の項目を文字認識するＯＣＲ（Optical Character Recognition  光学的文字認識）手段と、を備え、前記項目より店舗ＩＤを特定すると共に特定数値を認識して前記管理側端末へ通知する機能を有し、前記シートに印字された項目は店舗の管理のための管理項目を有し、この管理項目は少なくとも対象使用者である店舗を特定する認証項目及び金銭の合計数値の特定数値項目を備え、ディスプレイ上で指示した位置に存在する項目を前記ＯＣＲ手段により認識させるための項目選択ポインターを有し、前記ＯＣＲ手段により認識された項目の位置を識別するための標点の座標を記憶する標点記憶領域を備え、前記ＯＣＲ手段により認識された項目の文字と当該文字に該当する部分画像とを関連付けて記憶する項目記憶領域を備え、事前の位置記憶段階では、設定用のシートの画像が前記画像入力デバイスで画像入力され、前記シートの認証項目を少なくとも１つ含む管理項目の２つ以上及び特定数値項目について前記項目選択ポインターで指示することにより、前記標点の座標、文字及び部分画像を記憶し、二か所の管理項目の標点との座標位置関係により特定数値項目の標点を関連付けて記憶し、その後繰り返される特定数値の通知第一段階では、通知を行おうとする前記シートが前記画像入力デバイスで画像入力されるとともに画像の項目が前記ＯＣＲ手段で認識され、前記ＯＣＲ手段で読み取った項目より前記管理項目の２つ以上を文字により検索し、検索された２つ以上の管理項目の標点との座標位置関係により特定数値項目の標点を特定し、特定された標点に存在する特定数値項目の前記ＯＣＲにより認識された文字及び部分画像を記憶し、前記通知第一段階に続く特定数値の通知第二段階では、前記管理項目及び特定数値の文字及び部分画像をディスプレイに表示すると共に利用者の確認ボタンの操作により、前記管理項目及び特定数値の文字、部分画像および標点が管理端末へ送信されるようにするとよい。
【発明の効果】
【００１８】
上記本発明の特徴によれば、店舗を特定するに必要な項目及び売上金額等の特定数値項目の座標を特定してこれらを自動認識させると共に、これらの認識内容を修正した場合の改ざんを容易に発見することが可能な店舗からの特定数値通知方法及び通知システムを提供し得るに至った。
【００１９】
本発明の他の目的、構成及び効果については、以下の発明の実施の形態の項から明らかになるであろう。
【図面の簡単な説明】
【００２０】
【図１】本発明にかかる特定数値通知方法を実施するための特定数値通知システムの概略図である。
【図２】システム全体の処理フローである。
【図３】店舗側端末で入力されるシートの一例であるレシートの全体図である。
【図４】位置記憶段階における処理フローに沿った店舗側端末の入力画面例を示す図である。
【図５】通知段階における修正を含まない場合の処理フローに沿った店舗側端末の入力画面例を示す図である。
【図６】通知段階における修正を含む場合の処理フローに沿った店舗側端末の入力画面例を示す図である。
【図７】店舗側端末とサーバーとのデータ送受信例を示す図である。
【図８】店舗側端末で実現されるシステム構成を示すブロック図である。
【図９Ａ】店舗側端末からの操作における処理フローである（前半）。
【図９Ｂ】店舗側端末からの操作における処理フローである（後半）。
【図１０】店舗側端末で画像入力される精算レシートの各項目を示す図である。
【図１１】店舗側端末の位置記憶段階における入力画像の処理手順を示す図である。
【図１２】店舗側端末の通知第一段階における入力画像の処理手順を示す図である。
【図１３】店舗側端末の通知第二段階における入力画像の処理手順を示す図である。
【図１４】店舗側端末からサーバー（管理側端末側）への送信結果の一覧を示す図である。
【図１５】サーバーを含む管理側端末で実現されるシステム構成を示すブロック図である。
【図１６】管理側端末からの操作における処理フローである。
【図１７Ａ】管理側端末において当初に表示されるフロント画面の例である。
【図１７Ｂ】フロント画面でショップＡを選択した場合に表示されるショップＡに関する管理画面の例である。
【図１７Ｃ】ショップＡの管理画面で２０２０／０１／０１の欄を選択した場合に表示されるショップＡの当該日に関する管理画面の例である。
【図１８】店舗側端末からの操作における他の手法による処理フローである。
【図１９】店舗側端末の位置記憶段階における他の手法による入力画像の処理手順を示す図である。
【図２０】店舗側端末の位置記憶段階における他の手法による入力画像の処理手順を示す図である。
【図２１】店舗側端末の通知第一段階における他の手法による入力画像の処理手順を示す図である。
【図２２】店舗側端末の通知第一段階におけるさらに他の手法による入力画像の処理手順を示す図である。
【図２３】店舗側端末の通知第一段階におけるさらに他の手法による入力画像の処理手順を示す図である。
【図２４】店舗側端末の位置記憶段階における他の手法による入力画像の処理手順を示す図である。
【発明を実施するための形態】
【００２１】
次に、適宜添付図面を参照しながら、本発明にかかる特定数値通知方法を実施するための特定数値通知システムさらに詳しく説明する。まず、図１〜７を参照しながら、システムの操作イメージを含む概要を説明し、図８〜２１にてバックグラウンド処理を含む個別の説明を行う。
【００２２】
図１はシステムの概略図、図２はシステム全体の処理フローであり、処理フローの詳細は図９Ａ，Ｂおよび図１６に記載されている。なお、本明細書の添付図面では、各ステップのスタートおよび終了並びに矢印は省略してある。図３は店舗側端末で入力されるシートの一例であるレシートの全体図である。本実施形態では、複数の店舗をテナントとして抱えるショッピングセンターを例にとり、レシートは日々の売り上げ集計を行う売上集計の精算レシートであり、特定数値は各店舗における日々の売上集計値である。レシートは店舗ごとに違うメーカーのレジを利用していることも多く、フォーマットが統一されていない。また、一日の集計なので、記載事項が多岐にわたりシートが長くなっている場合も多く、したがって、後述の管理項目と特定数値とがかなり離れている場合も多い。本発明はこのような項目の識別が困難な場合に適用される。
【００２３】
図１の特定数値通知システム１は、通常は複数の店舗側端末２、通常は店舗側端末より少数の管理側端末３及び管理サーバー４を備え、これらはインターネット等の通信ネットワーク１０を介して接続されている。店舗側端末２は、例えば、タブレット２０やスマートフォン又はＰＣが用いられる。この例では、各タブレット２０は、通信モジュール２１、ＭＰＵ２２、ユーザーインタフェイス２３、メモリ２４及び内蔵されユーザーインタフェイスの一部を担うディスプレイ２５、並びに、デバイスインターフェイス２６等で接続された画像入力デバイスの一例であるイメージスキャナー２９を接続してある。画像入力デバイスは、タブレット、スマートフォンまたはＰＣに内臓のカメラを用いても良い。通信モジュール２１は、有線ＬＡＮとしてのＮＩＣのほか、無線ＬＡＮの通信モジュールも含まれ、以下、異符号の同名称部材も同様である。一方、管理側端末３は、例えば管理ＰＣ３０が用いられる。この管理ＰＣ３０も、通信モジュール３１、ＭＰＵ３２、ユーザーインタフェイス３３、メモリ３４及びディスプレイ３５を備える。
【００２４】
さらに、店舗側端末２と管理側端末３との間には、サーバー４０を備え、各端末での要求に応じて処理を行う。サーバー４０は、通信モジュール４１、ＭＰＵ４２、ユーザーインタフェイス４３及びメモリ４４を備えると共に、各店舗側端末３から集まるデータを蓄積するストレージ４６を備えている。
【００２５】
店舗側端末２での以下に示す処理は、タブレット２０においてすべて行っても良いが、サーバー４０のいわゆるシンクライアントとしてタブレット２０を設定し、処理自体はサーバー４０において行っても良い。同様に、管理側端末３での以下に示す処理は、管理ＰＣ３０において処理してもよいが、サーバー４０のいわゆるシンクライアントとして管理ＰＣ３０を設定し、処理自体はサーバー４０において行っても良い。また、便宜上、管理ＰＣ３０はサーバー４０と別に記載したが、これらが一体のマシンでも良い。サーバー４０及びストレージ４６は個別に設けるほか、クラウド上に実現しても良い。
【００２６】
以下、図２の処理フローと各図を参照しながら、処理の概要を説明する。まず、図４は、ステップＳ００１（図２）及びステップＳ１００（図９Ａ）に関連し、初回にのみ設定される「位置記憶段階」おける処理フローに沿った店舗側端末の入力画面例を示すものである。各店舗では、精算レシート１００をイメージスキャナー２９等で読み込み、その入力画像をＯＣＲ処理によりテキスト化すると共にディスプレイに表示する。管理項目の指定を促すダイアログＤ１が表示されるので、指先で店舗側端末のタッチディスプレイの管理項目該当部分を指示する。項目選択ポインターＳは矩形のエリア表示であり、まず左上角を指定し、指をドラッグすることで、右下角を指定して、ダイアログ中（以下説明省略）の「確定」ボタンの選択で選択すべき項目のエリアを確定する。選択エリアが確定すれば、その内容に相当するＯＣＲ読み取りテキストが次のダイアログＤ２に表示され、各ボタンに従って確定、再選択などが決定される。これらを複数項目について繰り返すことで、表示された各項目のうち、日付、電話番号、報告すべき合計金額等の場所を指で示し、これらの内容と座標を記録する。記録内容は、各項目毎にスクロール可能なダイアログボックスＤ３に表示され、修正か確定かを確認ダイアログボックスＤ４により選択でき、確定の場合は初回設定の定義が完了する。定義ファイルは必要に応じて管理側端末３（サーバー４０）側と共有してもよい。なお、以下においてサーバー４０に送信とは、管理端末３側に情報が伝達される通信を含む場合があるものとする。
【００２７】
図５は、日々繰り返される店舗側端末の報告のための入力例を示す。各店舗では、積算レシート１００をイメージスキャナー２９等で読み込み、その入力画像をＯＣＲ処理によりテキスト化すると共にディスプレイに表示する。ステップＳ０２０（図２）及びステップＳ１２０（図９Ａ）に関連する「特定数値の通知第一段階」では、管理項目のタイトルＮ１，Ｎ２（Ｎ）が表示されると共に、各タイトルに対応する内容が項目選択ポインターＳ１，Ｓ２（Ｓ）と共に表示される。項目選択ポインターＳ１，Ｓ２（Ｓ）の範囲は、先の図４の場合と同様の手指の操作により位置変更が可能であり、手指で指定してからはじめて項目選択ポインターＳ１，Ｓ２（Ｓ）が表示されるようにしてもよい。これらの位置修正、位置指定の旨及び確定ボタンがダイアログＤ１１に表示される。
【００２８】
ステップＳ０４０（図２）及びステップＳ１４０（図９Ｂ）に関連する「特定数値の通知第二段階」では、記録内容は、項目毎にスクロール可能なダイアログボックスＤ１２に表示される。修正か確定かを確認ダイアログボックスＤ１３により選択でき、確定した場合は、売り上げを含む各項目の情報が管理側端末３（サーバー４０）側に送信される。
【００２９】
図６は、上記図５の場合において修正を行うときの処理フローである。各項目の数値を修正したければ、ダイアログボックスＤ１３で「手入力」のボタンを押す。スクロール可能なダイアログボックスＤ２１おいて項目を選択し、修正入力を行う。その後、ダイアログボックスＤ２２で確定ボタンを押すと、各項目の入力画像と読み取りまたは修正されたテキスト内容が管理側端末３（サーバー４０）側に送信される。
【００３０】
図７は、サーバー４０と店舗側端末２とのデータ送受信状況を示すものである。先の事前段階で定義された報告項目定義ファイルおよびお知らせファイル等が店舗側端末２に送信される。また、前日売上等の売上支援策を店舗側端末２に連絡するための売上支援ファイルが適宜送信される。売上報告時には、店舗側端末２からサーバー４０に対して先のレシートの画像ファイル、売上報告ファイル、座標記録ファイルおよび修正記録ファイルが送信される。管理側端末３では、サーバー４０の情報を適宜呼び出し、次の施策を講じる。
【００３１】
次に、図８〜１３を参照しながら、店舗側端末における第１の実施方法に関する処理手順について説明する。図８は、店舗側端末２で実現されるシステム構成を示すブロック図である。符号２ａ〜２ｇは店舗側端末２で実現される機能を表現したもので、タブレット２０の内外を問わず、また、サーバー４０で実現されていてもよい。
【００３２】
店舗側端末２において、処理部２ａは上記ＭＰＵ２２を利用して表示しないメモリに組み込まれた各プログラムモジュールを読み込み、各データを利用して処理を行う。タイマー２ｂはネットワーク経由で時刻を確定し、イメージスキャナー２９で読み込まれた画像および後述の部分画像は画像メモリ２ｃに蓄積される。テキストメモリ２ｄにはＯＣＲ２ｅで認識されたテキスト及び修正入力されたテキストが記憶される。ＧＵＩコントロール２ｆは上述の「項目選択ポインター」の枠やボタンを生成、表示すると共に、結果を処理部２ａに送り後述の処理を行う。座標メモリ２ｇは、ＧＵＩコントロール２ｆで指定され、または、上記テキストから検索された文字列に関連付けられた座標を記憶する。これら各メモリ２ｃ、２ｄ、２ｇに記憶されたデータ及び処理部２ａで処理されたデータは、ＧＵＩコントロール２ｆの指示で通信モジュール２１を通じてサーバー４０とデータ送受信を行う。
【００３３】
図９Ａ，Ｂを適宜参照しつつ、上記構成の店舗側端末２において、操作における処理フローを説明する。図１０は、店舗側端末の位置記憶段階におけるイメージスキャナー２９で読み込まれた精算レシート１００の入力画像、及び、符号１１１〜１３１で示す四角枠は同画像の上の各項目に対応させて表示される上述の「タイトルＮ」及び「項目選択ポインターＳ」を示すが、タイトルまたはポインターである旨は以下記載を省略し、項目名で表記する。精算レシート１００は管理項目１１０と総売上等の特定数値１３０をはじめとし、多くの項目が掲載されている。
【００３４】
ここでは、３つの管理項目が示されており、管理項目１・１１１はこのレシートの作成された日付（及び時刻）である。管理項目２・１１２は店舗の電話番号であり、ＴＥＬという表記の管理項目２タイトル１１２ａの横に実際の電話番号である管理項目２内容１１２ｂが表示されている。管理項目３・１１３は端末ＩＤであり、端末ＩＤという表記の管理項目２タイトル１１３ａの横に実際の管理ＩＤである管理項目２内容１１３ｂの番号が記載されている。特定数値１３０は複数存在して差し支えないが、以下、１点のみで説明する。特定数値１・１３１は、総売上という表記の特定数値１タイトル１３１ａの横に実際の金額である特定数値１内容１３１ｂの数字が表示されている。
【００３５】
「管理項目」とは、金銭報告等を管理するための項目であり、管理項目１・１１１はこのレシートの作成された日付を特定することで、当該日の報告であることを管理する。ところで、管理項目のうち、店舗を認証し特定しうる項目を「認証項目」と称することとする。管理項目２・１１２の店舗の電話番号、管理項目３・１１３の端末ＩＤはいずれも店舗を認証して特定することができるので、認証項目でもある。
【００３６】
図１１は、イメージスキャナー２９により画像入力された精算レシート１００の画像の座標表示と、各項目の座標位置の求め方を示す図である。上記ＧＵＩコントローラー２ｆにより積算レシート１００画像に１１１，１１２ｂ、１１３ｂ、１３１ｂで示す先の「項目選択ポインター」が表示される。上述のとおりディスプレイ上を指でスライドさせることで、各枠は画像との位置関係を調整され、適切な場所に移動させられると、先のＯＣＲ２ｇによりテキスト認識がなされ、同時に各項目の標点Ｐ１〜３、Ｐ０を表す座標が読み取られる。手指の調整前にＯＣＲですべての項目を認識させ、データベースと一致したものの上に枠を表示させて、操作者の承認で座標及び項目確定させるように自動認識機能を持たせても良い。
【００３７】
ステップＳ０１０（図２）及びステップＳ１１０（図９Ａ）に関連する「標点関連付け記憶段階」では。３つの管理項目の標点Ｐ１〜３のうちの２つと特定数値の標点Ｐ０との関係を求めることで、後の読み取られる精算レシート１００から特定数値の標点Ｐ０の位置を求めることができる。但し、読み取り不能となる項目のスペアのために、３つの管理項目との関係を以下求めることとする。標点Ｐ１−Ｐ０間は距離Ｌ１，標点Ｐ２−Ｐ０間は距離Ｌ２標点Ｐ３−Ｐ０間は距離Ｌ３であるものとし、これらは検索第一距離とし、以下同様である。なお、各標点は、各項目の左端の中央を基準とする。
【００３８】
Ｌ１，Ｌ２，Ｌ３は各々以下の解として求める。
（ｘ１−ｘ０）2＋（ｙ１−ｙ０）2＝Ｌ１2
（ｘ２−ｘ０）2＋（ｙ２−ｙ０）2＝Ｌ２2
（ｘ３−ｘ０）2＋（ｙ３−ｙ０）2＝Ｌ３2
また、標点Ｐ１−Ｐ２間の距離Ｌ１２は以下の解として求め、これらは基準第一距離とし、以下同様である。
【００３９】
（ｘ２−ｘ１）2＋（ｙ２−ｙ１）2＝Ｌ１２2
さらに、標点Ｐ１−Ｐ３間の距離Ｌ１３は以下の解として求める。
【００４０】
（ｘ３−ｘ１）2＋（ｙ３−ｙ１）2＝Ｌ１３2
すなわち、次の内容が記録される。
【００４１】
【表１】
0006803594.tif 000002
【００４２】
そして、これらの各項目が、サーバー４０に送信される。この操作は座標設定操作として当初に１回だけ行えばよい。
【００４３】
続いて、日々店舗で行われる精算レシートの読み込み、報告操作を図１２で説明する。同図は、イメージスキャナー２９で画像入力された精算レシート１００の画像である。こちらにおいて、全互いがＯＣＲ認識された後、管理項目１〜３に相当するものが選定され、テキスト、部分画像、各標点Ｐ１〜３の座標が求められる。
【００４４】
【表２】
0006803594.tif 000003
【００４５】
ステップＳ０３０（図２）及びステップＳ１３０（図９Ｂ）に関連する「特定数値の特定段階」では、まず、標点Ｐ１−Ｐ２間の距離Ｌ１２’は以下の解として求める。
【００４６】
（ｘ２−ｘ１）2＋（ｙ２−ｙ１）2＝Ｌ１２’2
続いて、画像の寸法を正規化する。
Ｌ１’＝Ｌ１×Ｌ１２’／Ｌ０、Ｌ２’＝Ｌ２×Ｌ１２’／Ｌ０
そして、特定数値域の標点Ｐ０の座標（ｘ０’，ｙ０’）は以下の解から求める。
（ｘ１−ｘ０’）2＋（ｙ１−ｙ０’）2＝Ｌ１’2、（ｘ２−ｘ０’）2＋（ｙ２−ｙ０’）2＝Ｌ２’2
上記により、画像の読み取り時に発生する縮尺に依存せず、特定数値域をＯＣＲで読み取れる。
【００４７】
上記では標点Ｐ１，Ｐ２及び距離Ｌ１，Ｌ２を用いて特定数値域の標点Ｐ０の座標（ｘ０’，ｙ０’）を求めた。しかし、標点Ｐ２が読み取れない場合は、標点Ｐ１，Ｐ３と距離Ｌ１，Ｌ３を用いて特定数値域の標点Ｐ０の座標（ｘ０’，ｙ０’）を求めればよい。すなわち、管理項目の標点を複数読み込んで上記処理を順次行えば、読み取り不能な標点を外して特定数値域の標点Ｐ０の座標（ｘ０’，ｙ０’）を求めることができる。
【００４８】
図１３はステップＳ０４０（図２）及びステップＳ１４０（図９Ｂ）に関連する店舗側端末の「通知第二段階」における入力画面であり、図６のダイアログボックスＤ２１の中に表示されるものである。送信前に各ＯＣＲの認識文字を手入力により修正することを目的としている。欄Ｇ１−Ｇ３が管理項目１〜３、欄Ｇ４が特定数値１にそれぞれ対応している。各欄Ｇ１〜４における最上段は項目タイトル、二段目はＯＣＲ認識の元となった部分画像、三段目はＯＣＲ認識されたテキスト、四段目は修正入力されたテキストである。三段目と四段目の前にはチェックボックスがあり、チェックを入れたものが採用される。四段目にチェックを入れるとテキストが直接入力できる。四段目のチェックボックスをチェックし直接入力した場合は、右端の修正理由欄に対し、次のいずれかの理由を選択入力する。
１：レシート不良（汚れ、しわなど）
２：読み取り不良（ズレ、ゆがみなど）
３：レジ不良（印字かすれなど）
４：位置記憶不良（枠が合わない）
５：その他
【００４９】
これらが手入力により修正されたことを示す「修正フラグ」となり、これらにより、管理端末３側でこれらの原因を知った管理者は適切な対応策を講じることができる。
図１４は、店舗側端末２からサーバー４０（管理側端末側）へ送信された結果の管理側端末３での評価結果の一覧を示す図である。修正は先の修正理由が表示され、認証には以下に示す各項目の信頼度の評価結果が表示される。評価は次の通りである。
○：認証項目としてＯＣＲと一致
△：認証項目として修正の上で採用
×：認証項目として採用なし
−：認証項目非該当
【００５０】
図１４の例は、管理側端末３で次のように評価されることとなった。Ｇ１：ＴＥＬはＯＣＲ認識文字を認証項目として採用した。Ｇ２：端末ＩＤはＯＣＲ認識文字を修正せずに採用した。Ｇ３：日付はＯＣＲ認識文字が修正されたが認証項目として採用せず。Ｇ４：純売上を、Ｇ１：ＴＥＬとＧ２：端末ＩＤの標点に特定数値をもとめたことがわかる。なお、左欄の日付を選択することで、図１３の原入力の画面にジャンプしてこれを確認することができる。
【００５１】
次に、図１５〜１７を参照しながら、管理側端末３及び管理サーバー４における処理手順について説明する。図１５は、管理側端末２で実現されるシステム構成を示すブロック図である。符号５ａ〜５ｄは管理側端末３で実現される機能を表現したもので、管理側端末３またはサーバー４０のいずれかで実現されていてもよい。
【００５２】
管理側端末３において、処理部５ａは上記ＭＰＵ３２，４２を利用して表示しないメモリに組み込まれた各プログラムモジュールを読み込み、各データを利用して処理を行う。タイマー５ｂはネットワーク経由で時刻を確定し、イメージスキャナー２９で読み込まれた画像、部分画像、ＯＣＲ２ｅで認識されたテキスト、修正入力されたテキスト及び座標等をＤＢシステム５ｄデータベースとして処理し、ストレージ４６に記憶する。ストレージ４６データは、ＵＩＦコントローラー５ｃのデザインに従い、ＵＩＦ３３とディスプレイ３５を通じて管理者から操作される。
【００５３】
図１７Ａは当初の管理画面（フロント画面）の例であり、複数のユーザーそれぞれについて、当日売上、前日売上、当月純売上（積算値）等が表示されている（ステップＳ２００、図１６）。ここで、先のショップＡを選択（ステップＳ２０１、図１６）すると、図１７Ｂの如く、当該ショップの過去の実績比較や統計値が表示される（ステップＳ２１０、図１６）。さらにその中の、特定の日付を選択（ステップＳ２１１、図１６）すると、図１７Ｃの如く、精算レシートの画像および各読み取り、修正項目が表示（ステップＳ２２０、図１６）される。これらの選択により、各店舗に対して適切な指導を行うとともに、改ざんなどの不正行為を発見することができる。
【００５４】
次に、本発明の他の実施形態について説明する。先の実施形態と同様の要素には同一の符号を附してある。
【００５５】
図１８〜２１は店舗側端末の位置記憶段階（ステップＳ３１０、図１８）及び通知第一段階（ステップＳ３３０、図１８）における他の手法による入力画像の処理手順例である。先の実施形態では、位置記憶段階と読み取り送信段階の画像の読み取りに回転や縮尺がある場合、特定数値域のＯＣＲで読み取り精度が落ちる能性がある、このため、先の実施形態に替え、位置記憶段階で二か所の管理項目の傾き、距離を記憶し、読み取り送信段階で記憶情報に沿って、画像を補正することで、特定数値域の読み取り精度を上げる。
【００５６】
図１９に示すように、管理項目１，２の標点Ｐ１，Ｐ２間の距離Ｌ１２を用いる点及び正規化は先の実施形態と同様であるが、傾きの補正と座標の基準が異なる。まず、管理項目１，２の標点Ｐ１，Ｐ２間の距離Ｌ１２を求める。また、図２０に示すように、管理項目１，２の標点Ｐ１，Ｐ２間の線分の傾きθ１２を求める。さらに、管理項目１の標点Ｐ１（ｘ１、ｙ１）と特定数値１の標点Ｐ０（ｘ０、ｙ０）の相対座標（Δｘ、Δｙ）を求める。
【００５７】
ここで、θ１２は、図２０に示すように、以下で求める。
θ１２＝ｔａｎθ＝（ｙ２−ｙ１）／（ｘ２−ｘ１）
管理項目２が利用不能となった場合のバックアップで、先と同様に、管理項目１，２の標点Ｐ１，Ｐ３間の距離Ｌ１３を求め、標点Ｐ１，Ｐ３間の線分の傾きθ１３を求める。バックアップの差し替えは先の実施例と同様なので説明を省略する。
【００５８】
【表３】
0006803594.tif 000004
【００５９】
その後、日々の精算レシートをスキャニングし、図２１、２２に示す処理を行う。スキャニングされ座標にマッピングされた精算レシートの画像は図２１の通りであり、その標点Ｐ１’，Ｐ２’の座標が記憶されるとともに、Ｌ１２’を先の第一実施形態と同様に求める一方、θ１２’を次の方法で求める。
θ１２’＝ｔａｎθ＝（ｙ２−ｙ１）／（ｘ２−ｘ１）
【００６０】
その後、通知第一段階の座標を位置記憶段階の座標に合わせるように、正規化と軸の回転を含む座標変換を行う。この座標変換の理解の容易のために、図２２のポインターを例にとって表示する。標点Ｐ１，Ｐ１’は重ねて表示し、標点Ｐ２とＰ２’を別に表示する。この標点Ｐ２’が標点Ｐ２に重なるように距離Ｌ１２’の長さを調整して距離Ｌ１２と合わせる（正規化）とともに、θ１２’をθ１２となるように回転させる。この座標変換の結果を読み取った標点Ｐ１’，Ｐ２’，Ｐ３’のすべてに適用し、先の相対座標Δｘ、Δｙを利用して、特定数値１の標点Ｐ０の変換座標（ｘ０、ｙ０）を求め該当部部分の部分画像より数値をＯＣＲ認識する。
これらの座標変換の後特定数値等を認識し、得られた次の情報をサーバー４０に報告する。
【００６１】
【表４】
0006803594.tif 000005
【００６２】
ところで、この第二実施形態では、座標変換を自動で行ったが、図２２のようなポインターを精算レシート画像と共に表示し、マニュアルで読み込んだ画像を拡縮・回転操作して座標変換を行っても良い。
【００６３】
図２３に示すように、通知第一段階で、レシートが長い場合は、特定数値１がかなり下の方になり、管理項目の設定画面で表示されない。このような場合は、例えば、特定数値１をＯＣＲ認識結果から選択し、上部に別途表示させてもよい。
【００６４】
図２４は、店舗側端末の位置記憶段階における他の手法による入力画像の処理手順を示す図である。特定数値１・１３１ｂが純売上の総計であり、その上に任意数の個別売上が項目として現れる場合は、個別売上の項目数の変動で、特定数値１・１３１ｂの位置が確定しないこととなる。したがって、特定数値１・１３１を、同項目の下側の「二か所の管理項目の標点」から上側に向かって位置特定する。位置特定のアルゴリズムは上記のいずれを用いても良い。本実施形態では、特定数値１・１３１の下側にある「現金」、「客数」をそれぞれ管理項目１，２・１１１，１１２に設定している。また、認証項目１（管理項目３）１１３として、特定数値１・１３１の上側の「ＴＥＬ」を用いることで、店舗を識別している。
【００６５】
上記各実施形態において、例えば図１０の符号１３１ｂの左側の黒丸で示すように、標点は、「タイトルＮ」及び「項目選択ポインターＳ」の左側の中央を基準としたが、これを右側の中央を基準としても良い。さらに、タイトル、項目選択ポインターの矩形形状の幅と高さを決めて同矩形の隅部や他の部位に位置させてもよく、タイトルと項目選択ポインターで違う位置としても良い。
【産業上の利用可能性】
【００６６】
本発明は、例えば、ショッピングセンターやテーマパーク、見本市等、大規模で多数の店舗からの報告を受ける場合の通知システムに利用することができる。
【符号の説明】
【００６７】
１：特定数値通知システム、２：店舗側端末、２ａ：処理部、２ｂ：タイマー、２ｃ：画像メモリ、２ｄ：テキストメモリ、２ｅ：ＯＣＲ、２ｆ：ＧＵＩコントロール、２ｇ：座標メモリ、３：管理側端末、４：管理サーバー、５ａ：処理部、５ｂ：タイマー、５ｃ：ＵＩＦコントローラー、５ｄ：ＤＢシステム、１０：通信ネットワーク、２０：タブレット、２１：通信モジュール、２２：ＭＰＵ、２３：ユーザーインタフェイス、２４：メモリ、２５：ディスプレイ、２６：デバイスインターフェイス、２９：イメージスキャナー、３０：管理ＰＣ、３１：通信モジュール、３２：ＭＰＵ、３３：ユーザーインタフェイス、３４：メモリ、３５：ディスプレイ、４０：サーバー、４１：通信モジュール、４２：ＭＰＵ、４３：ユーザーインタフェイス、４４：メモリ、４５：ディスプレイ、４６：ストレージ、１００：精算レシート、１１０：管理項目、１１１：管理項目１、１１１ａ：管理項目１タイトル、１１１ｂ：管理項目１内容、１１２：管理項目２、１１２ａ：管理項目２タイトル、１１２ｂ：管理項目２内容、１１３：管理項目３、１１３ａ：管理項目３タイトル、１１３ｂ：管理項目３内容、１３０：特定数値、１３１：特定数値１、１３１ａ：特定数値１タイトル、１３１ｂ：特定数値１内容、１１０〜１３１：項目選択ポインター、Ｐ０，１，２，３…ｎ，Ｐ０’，１，２，３…ｎ：標点
【要約】
【課題】  店舗を特定する項目及び特定数値項目の座標を特定して自動認識させると共に、認識内容を修正した場合の改ざんを容易に発見することが可能な店舗からの特定数値通知方法及び通知システムを提供すること。
【解決手段】  項目の位置を記憶する標点記憶領域、項目の文字と文字に該当する部分画像とを関連付けて記憶する項目記憶領域を備える。認証項目を含む管理項目及び特定数値項目について標点の座標、文字及び部分画像を記憶し、二か所の管理項目１１１，１１２ｂの標点との座標位置関係により特定数値項目１３１ｂの標点を関連付けて記憶する。項目より管理項目の２つ以上を文字により検索し、検索された２つ以上の管理項目の標点との座標位置関係により特定数値項目の標点を特定し、標点の文字及び部分画像を記憶し、管理項目及び特定数値の文字及び部分画像を表示すると共に確認ボタンの操作により、管理端末へ送信する。
【選択図】    図１１【図１】
0006803594.tif 000006
【図２】
0006803594.tif 000007
【図３】
0006803594.tif 000008
【図４】
0006803594.tif 000009
【図５】
0006803594.tif 000010
【図６】
0006803594.tif 000011
【図７】
0006803594.tif 000012
【図８】
0006803594.tif 000013
【図９Ａ】
0006803594.tif 000014
【図９Ｂ】
0006803594.tif 000015
【図１０】
0006803594.tif 000016
【図１１】
0006803594.tif 000017
【図１２】
0006803594.tif 000018
【図１３】
0006803594.tif 000019
【図１４】
0006803594.tif 000020
【図１５】
0006803594.tif 000021
【図１６】
0006803594.tif 000022
【図１７Ａ】
0006803594.tif 000023
【図１７Ｂ】
0006803594.tif 000024
【図１７Ｃ】
0006803594.tif 000025
【図１８】
0006803594.tif 000026
【図１９】
0006803594.tif 000027
【図２０】
0006803594.tif 000028
【図２１】
0006803594.tif 000029
【図２２】
0006803594.tif 000030
【図２３】
0006803594.tif 000031
【図２４】
0006803594.tif 000032